(57)【特許請求の範囲】
【請求項１】
上端部と下端部とを有する直線の形状のシャフト（１０）、前記シャフトの上端部に取り付けられた、握って支持するためのグリップ、および、前記シャフトの下端部に取り付けられた、滑り止め機能を有する石突き（２）を備える杖（１）であって、前記石突きは、シャフトと反対側の凸状の面を有する先端壁、下縁部と上縁部とを有した、下縁部に沿って前記先端壁に接合されている周縁壁、および、前記周縁壁の上縁部に沿って接合している基部と前記基部から前記シャフトの下端部へ向かって延在する先端部とを有する円盤部分を備え、前記基部は、前記先端部よりも拡張しており、前記円盤部分の先端部は、前記シャフトと同軸であり、前記シャフトの下端部は、外側のトランペットの形状の面、内側の空洞、および、内側のトランペットの形状の面を有した中間部分を備え、前記内側のトランペットの形状の面は、前記石突きの円盤部分と相補的に摩擦で嵌められて係合しており、前記先端部は、シャフトと石突きを位置合わせするように前記内側の空洞に係合しており、前記石突きは、シャフトのためのてこの構成を有し、前記てこの構成は、回転する点と反対側の前記円盤部分の縁部において前記シャフトの下端部に圧力（Ｐ）をかけると立ち上げることのできるように、前記周縁壁の下縁部に回転する点を有しており、前記シャフト（１０）および前記グリップは軽量材料で作製されており、前記石突き（２）は錘（３）を収容することを特徴とする杖（１）。
【請求項２】
前記先端壁（２０）は、湾曲した形状（ｆｏｒｍｅ  ｄｅ  ｃａｌｏｔｔｅ  ｓｐｈｅｒｉｑｕｅ）であることを特徴とする請求項１に記載の杖。
【請求項３】
前記周縁壁は、前記上縁部から前記下縁部に徐々に狭まる円錐台形の面を形成していることを特徴とする請求項１または２に記載の杖。
【請求項４】
前記周縁壁（２１）の上縁部（２３）は、前記内側のトランペットの形状の面の縁部を介してシャフト（１０）に接合されていることを特徴とする請求項３に記載の杖。
【請求項５】
前記シャフト（１０）およびグリップは、複合材料、すなわち、繊維を充填したプラスチック材料で作製されることを特徴とする請求項１〜４のいずれか一つに記載の杖。
【請求項６】
前記錘（３）は、エラストマーで被覆された鋳鉄によって形成されていることを特徴とする請求項１〜５のいずれか一つに記載の杖。
【請求項７】
前記錘（３）は、位置測定装置および／または演算装置などの搭載された電子部品を作動させるために使用されるアキュムレータによって構成されることを特徴とする請求項１〜５のいずれか一つに記載の杖。
【発明の詳細な説明】
【技術分野】
【０００１】
本発明は、歩行補助器具、特に杖を対象とするものである。
【背景技術】
【０００２】
杖のような歩行補助器具は、直線またはほぼ直線の形状の本体を備えており、その一方の端部である上端部には握って支持するための手段を備え、もう一方の端部である下端部には滑り止め機能を有する石突きが備えられている。
【０００３】
杖は、主として二つの欠点を示す。一方は、杖が倒れたときに拾い上げるためには地面まで身をかがめなければならないことであり、もう一方は、杖が地面に倒れないようにしたいときには、杖を立てかけておくための鉛直な面を見つける必要があることである。
【０００４】
下端部の石突きに、杖と同軸の円盤状の拡張部を備えた杖が既に公知であり、その拡張部は杖が地面にあるときその円盤にほぼ鉛直方向の圧力をかけると、杖を起こすことを促すことのできるてこを構成するためのものである。
【０００５】
しかしながら、そのような杖には欠点がある。それは、杖を起こすためにはその操作の間中、大きな、あるいは調整された力を必要とし、したがって、杖の立ち上がりは思いがけず、そして急速であるが、一般的に杖を必要とする人々は運動障害を示すものだけにますます、杖の使用者は杖が立ち上がったときに杖を捕まえることができない可能性があることである。
【０００６】
また、常に直立状態であり続けることを可能にする装置を備える自動で立ち上がり可能な杖が公知であるが、これは特許文献１に記載されている杖の場合である。この杖の下端部には、下方周縁部に回転点を規定する凸状の面を有する部品が備えられているが、その一方で、安定という点から、杖の重心はこの回転点より下に位置する。
【０００７】
そのような杖が実際に自動で立ち上がることが可能で、常に直立状態であるとしても、しかしながら、その下端部の大きさのせいで、杖の基本的機能、すなわち歩行補助における使用という点に関して、ほとんど実用性がないように思われる。
【０００８】
同様に、使用時のある程度の安定性および、支え無しに直立姿勢を維持することを確保することができる杖が公知である。これらの杖は、例えば、特許文献２、３、４および５に記載されており、どれもがその端部に、杖の主軸に垂直な平面内に広がる平坦な支え面を備える石突きを備えている。
【０００９】
これらの文献に記載された杖が、一方では、ある程度の使用安定性、他方では、支え無しに直立姿勢を維持することを確保することができる特性を備えているとしても、しかしながら、これらの杖は欠点を示している。実際、杖の根元で起こす試みの後、あるいは、この杖を支え無しに直立姿勢で維持するための位置決めのとき、平坦な底面が完全に地面と接触し、杖の転倒を引き起こす可能性のある振動を避けるためには、極めて正確な動作でその平坦な底面を操らなければならない。
【発明の概要】
【発明が解決しようとする課題】
【００１０】
本発明は、前記の様々な欠点を改善することのできる杖を提案することを目的とする。
【課題を解決するための手段】
【００１１】
本発明による杖は、直線、または、ほぼ直線の形状のシャフト、握って支持するためのグリップを備える上端部、および、滑り止め機能を有する石突きを備える、圧力をかけると立ち上げることのできるようになっている、てこを構成するための杖と同軸の円盤の形状の拡張部を有する下端部を備えており、前記シャフトおよび前記グリップは軽量材料で作製されており、前記石突きは錘を収容し、したがって、該杖の重心を前記下端部の最も近傍に配置し、一方では、該石突きは凸状の先端壁を備えることを特徴とする。
【００１２】
下端部の近傍に重心を位置決定すること、および石突きの円盤の形状とを兼ね合わせることにより、その石突きの縁部に重みをかけると、杖を立ち上げることができ、それには大きな力も、この力を特別に調整する必要もない。
【００１３】
重心は、杖が地面に置かれているとき杖を自動的に立ち上げることができるほど十分に低くはないが、杖の立ち上げを補助し、水平線とのある傾斜角度からのこの立ち上げを確保し、杖が直立状態におかれたときにはその安定性を確保するには十分に低い。
【００１４】
石突きの端部の凸状の形状によって、安定姿勢を一つしか提供せず、またそれを見つけることが困難な場合が多い平坦な底面とは反対に、多数の安定姿勢を提供して、立ち上がりを緩和することができる。
【００１５】
本発明による杖の追加の特徴によると、石突きの先端壁は湾曲した形状（ｆｏｒｍｅ  ｄｅ  ｃａｌｏｔｔｅ  ｓｐｈｅｒｉｑｕｅ）である。
【００１６】
本発明による杖の別の追加特徴によると、石突きは端部に向かって徐々に狭まる円錐台形の周縁壁を備える。
【００１７】
本発明による杖のまた別の追加特徴によると、周縁壁の上縁部はトランペットの形状の中間部分を介してシャフトに接合されている。
【００１８】
製造の観点から、シャフトおよびグリップは、複合材料、すなわち、好ましくは繊維を充填したプラスチック材料、例えば、グラスファイバを充填したポリカーボネートで作製される。
【００１９】
石突きは、エラストマーで被覆されている錘を形成する鋳鉄によって形成されているが、好ましい変形では、および、好ましい方法では、錘はアキュムレータから構成されており、位置測定装置および／または演算装置などの搭載された電子部品を作動させるために使用される。
【００２０】
本発明による杖の利点および特徴は、非限定的な一実施態様を示す添付図面を参照して行う下記の説明から、より明らかになるであろう。
【図面の簡単な説明】
【００２１】
【図１】本発明による杖の立面概略図。
【図２】同一の杖の一部分の中央縦断面概略図。
【図３ａ】異なる使用段階での同一の杖の一部分の立面概略図。
【図３ｂ】異なる使用段階での同一の杖の一部分の立面概略図。
【図３ｃ】異なる使用段階での同一の杖の一部分の立面概略図。
【図３ｄ】異なる使用段階での同一の杖の一部分の立面概略図。
【発明を実施するための形態】
【００２２】
図１を参照すると、本発明による杖１を見ることができる。その杖は、主として、直線またはほぼ直線状のシャフト１０、フック状のグリップを形成する上端部１１と、その下端部１２には石突き２を備える。
【００２３】
石突き２は、シャフト１０と同軸の円盤の形状であり、その直径はシャフト１０の直径より非常に大きく、したがって、てこの役目を果たすことのできる周縁拡大部を形成する。
【００２４】
図２を参照すると、杖１の下端部１２と石突き２をより詳細に見ることができる。
【００２５】
石突き２は、曲率半径の大きな湾曲した形状（ｆｏｒｍｅ  ｄｅ  ｃａｌｏｔｔｅ  ｓｐｈｅｒｉｑｕｅ）の、わずかに凸形の先端壁２０、および、端部に向かって徐々に狭まる円錐台形の周縁壁２１を備える。すなわち、壁２１の上縁部２３は、この壁の下縁部２４が形成する円の直径より大きな直径の円で形成されている。
【００２６】
さらに、壁２１の上縁部２３と、シャフト１０との接合は、トランペットの形状の中間部分２５を介して実現されている。
【００２７】
石突き２は、主として、特に壁２０および２１を形成するエラストマー材料の層２２によって被覆された錘３によって構成されている。
【００２８】
錘３は、杖１の重心を下端部１２の最も近傍に下げるためのものである。その錘は、鋳鉄のような金属の塊によって、または、より好ましくは、搭載された電子部品を作動させるためのアキュムレータによって、構成することができる。
【００２９】
実際、杖の内部に、位置測定手段、アラーム信号発信手段、または、様々な測定手段、例えば、歩数計を備えることができる。
【００３０】
ここで図３ａ、３ｂ、３ｃおよび３ｄを参照すると、本発明による杖１の特徴の有用性を見ることができる。
【００３１】
これらの図面では、例えば、足で石突き２に圧力Ｐをかけて、この石突き２をてことして使用したとき、杖１の下端部１２が立ち上がるときの連続した三つの段階が見られる。
【００３２】
これらの図面には、下端部１２の近傍でシャフト１０の部位に位置づけされた杖１の重心Ｇが図示されている。重心Ｇの位置は、明らかにシャフト１０の長さ、シャフト１０およびグリップ１１が作製されている材料の種類、ならびに図示されてはいないが、錘３の寸法および性質によって変化する。
【００３３】
図３ａでは、杖１は、図示されていないがその上端部１１と石突き２との間で、または、より正確には縁部２３が形成するエッジの一点との間で地面Ｓ上に横たわっている。
【００３４】
図３ｂでは、石突き２の上方で、地面Ｓと接触している範囲とは直径方向に反対の範囲のエッジ２３の部位に圧力Ｐをかけて、てこの効果によってシャフト１０の立ち上がりが引き起こされていることが示されている。
【００３５】
立ち上がりは、最初に、石突き２がその周縁壁２１によって地面Ｓ上に横たわるまで、エッジ２３に沿って石突き２が回転することによって得られる。
【００３６】
図３ｃでは、圧力Ｐをかけ続け、縁部２４が形成するエッジに沿った回転によって、壁２０が図３ｄで見られるように地面Ｓと接触するまで、シャフト１０の立ち上がりの継続が引き起こされていることが見られる。
【００３７】
石突き２の近傍に重心Ｇを位置決定することによって、杖１の取り扱いを容易にすることが可能になり、かける圧力は最小で、それにより不安定さは軽減され、立ち上げの調整には有利に働く。
【００３８】
中間部分２５のトランペットの形状は、足で圧力Ｐを加えるための使用快適性を示すことが分かる。
【００３９】
さらに、杖１は、重心Ｇの位置決定、および、壁２０の大きな曲率半径によって、何らかの面に対してもたれかかる必要がなく、直立姿勢に留まることができる。
【００４０】
壁２０の凸状の形状によって、杖１をそのバランス姿勢で安定させることができ、その姿勢は必ずしもシャフト１０の鉛直に一致しない。
【００４１】
このように、使用者は、少しの力で、地面に落ちた本発明による杖１を立ち上げ、直立姿勢にし、この姿勢を維持することができ、手を使う必要がない。
【符号の説明】
【００４２】
１  杖
２  石突き
３  錘
１０  シャフト
１１  上端部
１２  下端部
２０  先端壁
２１  周縁壁
２２  エラストマー材料の層
２３  上縁部
２４  下縁部
２５  中間部分
Ｇ  重心
Ｐ  圧力
【先行技術文献】
【特許文献】
【００４３】
【特許文献１】欧州特許第０６６１０１０号明細書
【特許文献２】米国特許第５９９２４３４号明細書
【特許文献３】仏国特許発明第２６６８６９０号明細書
【特許文献４】独国実用新案第２０３０９５６８号明細書
【特許文献５】国際公開第９９／３５９３０号
【図１】
0005909483.tif 000002
【図２】
0005909483.tif 000003
【図３ａ】
0005909483.tif 000004
【図３ｂ】
0005909483.tif 000005
【図３ｃ】
0005909483.tif 000006
【図３ｄ】
0005909483.tif 000007